(57)【特許請求の範囲】
【請求項１】
情報の受信を行う受信手段と、
上記受信手段により受信された上記情報の解析を行う解析手段と、
可動部を駆動させる駆動手段と、
上記解析手段により解析された上記情報に上記可動部を動作させる送信者からの設定ファイル情報が含まれているか否かを判断し、上記設定ファイル情報が含まれているときは上記設定ファイル情報に基づいて上記駆動手段の動作を制御し、上記設定ファイル情報が含まれていないときは受信者が予め設定した初期設定ファイル情報に基づいて上記駆動手段の動作を制御する制御手段と、
を備え、上記設定ファイル情報は特定送信相手のアドレスを示す拡張子を有し、上記情報が着信したとき、上記設定ファイル情報に前記特定送信相手のアドレスを示す拡張子が含まれていた場合には、上記駆動手段による上記可動部の駆動が上記特定送信相手のアドレスに対応したものに制御される情報着信通知装置。
【請求項２】
請求項１記載の情報着信通知装置において、
上記設定ファイル情報又は上記初期設定ファイル情報は、上記可動部の複数の動作及びその動作時間を含む情報着信通知装置。
【請求項３】
請求項１記載の情報着信通知装置において、
上記設定ファイル情報は、一意に定義されたファイル名称又は上記可動部の動作内容示す拡張子を有する情報着信通知装置。
【請求項４】
情報着信通知装置に送信すべき情報に対して、上記情報が情報着信通知装置に着信したとき、上記情報の解析内容により上記情報に送信者からの設定ファイル情報が含まれているときは上記設定ファイル情報に基づいて駆動手段の動作がなされ、上記情報に特定送信相手のアドレスを示す拡張子が含まれているときには上記駆動手段の動作が上記特定送信相手のアドレスに対応したものに制御され、上記設定ファイル情報が含まれていないときは受信者が予め設定した初期設定ファイル情報に基づいて上記駆動手段の動作がなされるように、上記設定ファイル情報を上記情報に付属させて送信する情報送信方法。
【請求項５】
情報着信通知装置に送信すべき情報に対して、上記情報が上記情報着信通知装置に着信したとき、上記情報の解析内容により上記情報に送信者からの設定ファイル情報が含まれているときは上記設定ファイル情報に基づいて駆動手段の可動部の動作がなされる上記設定ファイル情報を上記情報に付属させて送信する送信部と、
上記情報を受信し、受信された上記情報の解析を行い、解析された上記情報に上記駆動手段の可動部を動作させる送信者からの設定ファイル情報が含まれているか否かを判断し、上記設定ファイル情報が含まれているときは上記設定ファイル情報に基づいて上記駆動手段の可動部の動作を制御し、特定送信相手のアドレスを示す拡張子が含まれているときには上記駆動手段の動作を上記特定送信相手のアドレスに対応したものに制御し、上記設定ファイル情報が含まれていないときは受信者が予め設定した初期設定ファイル情報に基づいて上記駆動手段の可動部の動作を制御する情報着信通知装置と
を備えた情報着信通知システム。
【発明の詳細な説明】
【０００１】
【発明の属する技術分野】
本発明は、例えば、電子メールのやりとりを行う情報端末に適用されるものである。
【０００２】
【従来の技術】
従来、例えば、インターネットを介してパーソナルコンピュータ（以下、「パソコン」という。）などの情報端末に電子メールを送ることが行われていた。このような情報端末においてインストールすることにより電子メールの作成、送信および受信を行うことができるアプリケーションソフトウエアとして、ポストペット（登録商標、ソニーコミュニケーションネットワークシステム株式会社）と呼ばれるものがあった。
【０００３】
このポストペットというアプリケーションソフトウエアをインストールしている情報端末同士では、ＧＵＩ（Ｇｒａｐｈｉｃａｌ  Ｕｓｅｒ  Ｉｎｔｅｒｆａｃｅ）を用いてモニタ上で電子メールの作成、送信および受信を行うメーラ内のマスコットがメールの着信を教えてくれるようになっていた。あるいはこの他にもメールの配送を行うアプリケーションソフトウエアが存在していた。
【０００４】
【発明が解決しようとする課題】
上述した従来の電子メールのアプリケーションソフトウエアでは、上述したように同じアプリケーションソフトウエアをインストールしている情報端末同士でのみマスコットがメールの着信を教えてくれるが、送信相手が同じアプリケーションソフトウエアをインストールしていないときは受信側ではモニタ上のメールの受信ボードを自ら見に行かなければならず自動的にメールの着信を通知する手段はなかったという不都合があった。
【０００５】
本発明は以上の点を考慮してなされたもので、送信相手のメールソフトに依存せずにメールの着信を玩具の動作によって知らせる情報着信通知玩具装置、情報送信方法および情報着信通知玩具システムを提案しようとするものである。
【０００６】
【課題を解決するための手段】
かかる課題を解決するため本発明の情報着信通知装置、情報送信方法および情報着信通知システムでは、以下のような手段により構成され、このような本発明によれば以下の作用をする。
【０００７】
【課題を解決するための手段】
かかる課題を解決するため本発明の情報着信通知装置は、情報の受信を行う受信手段と、受信手段により受信された上記情報の解析を行う解析手段と、可動部を駆動させる駆動手段と、解析手段により解析された情報に可動部を動作させる送信者からの設定ファイル情報が含まれているか否かを判断し、設定ファイル情報が含まれているときは設定ファイル情報に基づいて駆動手段の動作を制御し、設定ファイル情報が含まれていないときは受信者が予め設定した初期設定ファイル情報に基づいて駆動手段の動作を制御する制御手段と、を備え、上記設定ファイル情報は特定送信相手のアドレスを示す拡張子を有し、情報が着信したとき、上記設定ファイル情報に前記特定送信相手のアドレスを示す拡張子が含まれていた場合には、上記駆動手段による上記可動部の駆動が上記特定送信相手のアドレスに対応したものに制御されるものである。
【０００８】
また、本発明の情報送信方法は、情報着信通知装置に送信すべき情報に対して、情報が情報着信通知装置に着信したとき、情報の解析内容により情報に送信者からの設定ファイル情報が含まれているときは設定ファイル情報に基づいて駆動手段の動作がなされ、上記情報に特定送信相手のアドレスを示す拡張子が含まれているときには上記駆動手段の動作が上記特定送信相手のアドレスに対応したものに制御され、設定ファイル情報が含まれていないときは受信者が予め設定した初期設定ファイル情報に基づいて駆動手段の動作がなされるように、設定ファイル情報を情報に付属させて送信するものである。
【０００９】
また、本発明の情報着信通知システムは、情報着信通知装置に送信すべき情報に対して、情報が情報着信通知装置に着信したとき、情報の解析内容により情報に送信者からの設定ファイル情報が含まれているときは設定ファイル情報に基づいて駆動手段の可動部の動作がなされる設定ファイル情報を情報に付属させて送信する送信部と、情報を受信し、受信された情報の解析を行い、解析された情報に駆動手段の可動部を動作させる送信者からの設定ファイル情報が含まれているか否かを判断し、設定ファイル情報が含まれているときは設定ファイル情報に基づいて駆動手段の可動部の動作を制御し、特定送信相手のアドレスを示す拡張子が含まれているときには上記駆動手段の動作を上記特定送信相手のアドレスに対応したものに制御し、設定ファイル情報が含まれていないときは受信者が予め設定した初期設定ファイル情報に基づいて駆動手段の可動部の動作を制御する情報着信通知装置とを備えたものである。
【００１０】
【発明の実施の形態】
以下、適宜図面を参照しながら本発明の実施の形態を詳述する。本実施の形態の情報着信通知玩具装置は、インターネットを介して電子メールを送るパソコンなどの情報端末において適用されるものであって、情報端末外に配置される愛玩具であるメールペットに対して、メールの着信を例えば”鳴いたり”、”吠えたり”、あるいは”手足を振り上げたり”というような動作をさせることによって、受信者にメールの着信を知らせることができるものである。
【００１１】
図１は、本発明の実施の形態のメールペットシステムの構成を示すシステムブロック図である。
図１において、本発明の実施の形態のメールペットシステムは、インターネットプロバイダ２を介してインターネット１に接続されている情報端末４と、情報端末４に接続され情報端末４にビデオ／オーディオ入力可能なＢＳ／ＣＳ放送受信用アンテナ３と、情報端末４に接続され情報端末４からビデオ出力可能なモニタ６と、情報端末４に接続され情報端末４からメールペット７へメールペット７を動作させるための所定のコードを送るワイヤレストランスミッタ５と、情報端末４がメールを着信したときワイヤレストランスミッタ５から送られた所定のコードによりメールの着信を知らせる所定の動作をするメールペット７とを有して構成される。
【００１２】
この実施の形態では、メールペットシステムは専用メールソフトウエアをインストールしている情報端末およびモニタ（ＮＴＳＣ）を有する例を示すが、これに限らず他の構成でも良い。また、メールペット７は、ワイヤレスに限らず、コードを介して情報端末４と接続されても良い。
【００１３】
上述した構成の本発明の実施の形態のメールペットシステムは、以下の動作をする。
インターネット１からインターネットプロバイダ２を介して情報端末４にメールが着信すると、情報端末４はワイヤレストランスミッタ５にメールペット７を動作させるための所定のコードからなるシリアルデータを送る。ワイヤレストランスミッタ５は所定のコードを赤外線または電波等を介してメールペット７へ送信する。メールペット７は所定のコードを受信して、解析手段により所定のコードを解析し、制御手段は予め設定された所定のコードに対応する所定の動作をするように駆動手段により可動部を動かす。
【００１４】
ここで、メールペット７の動作は、メールペット７内部の設定手段による所定のコードに対応する所定の動作の設定により、例えば、”鳴いたり”、”吠えたり”、”踊る”あるいは”手足を振り上げたり”というような動作等、あるいはこれらの組み合わせなど様々な動作が可能である。
【００１５】
この場合、メールペット７の動作は、受信側のユーザが任意に設定することができる。図５に本実施の形態のメールペット動作設定ファイルの例を示すように、例えば、吠える＝１０秒＋踊る＝３０秒というように設定ファイルに記述するだけで、吠えるという動作のコマンドを１０秒連続して実行した後に踊るという動作のコマンドを３０秒連続して実行することができる。またこれに限らず、”鳴いたり”、”じゃれたり”、”なめたり”あるいは”手足を振り上げたり”というような動作のコマンドを用意しておき、ユーザが任意に設定ファイルを記述することができる。
【００１６】
また、このメールペット７は、着信したメールに付属する送信側のファイルによっても動作させることができる。例えば、メール送信者が、上述したメールペット動作設定ファイルをメールに添付おくと、受信側では着信時にメールソフトが添付ファイルをチェックして、メールペット動作設定ファイルならばそれに従ってメールペットを動作させるようにする。この設定ファイルは、例えば、ファイルの拡張子を固有のものに定義しておけば、テキストベースとすることができる。
【００１７】
このようにすることにより、送信者が上述したメールソフトをインストールしていない情報端末を使用していても受信側でメール着信時にメールペット７を動かすことができる。
【００１８】
図２は、本実施の形態の情報端末の構成を示すブロック図である。
図２において、情報端末４は、インターネット１を介してプロバイダ２から供給されまたはアンテナ３から受信されるビデオ入力をＮＴＳＣ方式またはＰＡＬ方式の画像に変換してモニタ６にビデオ出力するコーデック１０と、ＮＴＳＣ方式またはＰＡＬ方式のビデオデータを記憶するＶＲＡＭ１１と、ＶＲＡＭ１１にクラフィックイメージを描画するグラフィックエンジン１２とを有する。
【００１９】
また、情報端末４は、インターネット１を介してプロバイダ２から供給されまたはアンテナ３から受信されるオーディオ入力を所定の方式に変換してモニタ６にオーディオ出力するオーディオコーデック１３と、インターネット１を介してプロバイダ２からＰＳＴＮ（高速通信回線）により供給されるメールの通信データを受信して受信データに変換するモデム１４と、ＩＲ（赤外線）、シリアル、パラレルおよびその他のインターフェースを行うインターフェース回路１５とを有する。
【００２０】
また、情報端末４は、グラフィックエンジン１２と、オーディオコーデック１３と、モデム１４と、インターフェース回路１５とのデータを通すローカルバス１６と、所定のプログラムが格納されるフラッシュメモリ１７と、情報端末４の動作を制御するＣＰＵ２０と、ＣＰＵ２０の動作のための制御データが格納されるメモリ２１と、ＣＰＵ２０およびメモリ２１のデータを通すホストバス１９と、ローカルバス１６とホストバス１９とのデータのやりとりをするバスブリッジ１８とを有して構成される。なお、フラッシュメモリ１７に替えてハードディスク装置（ＨＤＤ）を用いてもよい。
【００２１】
このように構成された情報端末４は、以下のような動作をする。
電源を入れると、ホストバス１９およびローカルバス１６を用いてＣＰＵ２０はデータのやりとりを行うことにより、フラッシュメモリ１７に格納されるプログラムが起動される。モデム１４は、インターネット１を介してプロバイダ２から供給されたデータを内部処理可能に変換する。モデム１４で変換されたデータはメモリ２１またはフラッシュメモリ１７にダウンロードされる。ダウンロードされたデータをＣＰＵ２０が解析して、グラフィックエンジン１２に供給する。グラフィックエンジン１２はＶＲＡＭ１１にグラフィックイメージを描画し、それをＮＴＳＣ／ＰＡＬコーデック１０がＮＴＳＣ方式またはＰＡＬ方式の画像に変換する。
【００２２】
ＣＰＵ２０が解析したデータが、所定のコードであるとき、所定のコードはインターフェース回路１５によりシリアルデータとして上述したワイヤレストランスミッタ５によりメールペット７に送られる。
【００２３】
図３は、本実施の形態のメールペットの構成を示すブロック図である。
メールペット７は、上述したワイヤレストランスミッタ５から送られる所定のコードを受信する受信部３０と、インターフェースを行うインターフェース回路３１とを有する。
【００２４】
また、メールペット７は、インターフェース回路３１とのデータを通すローカルバス３２と、所定のプログラムが格納されるフラッシュメモリ３３と、メールペット７の動作を制御するＣＰＵ３６と、ＣＰＵ３６の動作のための制御データが格納されるメモリ３７と、ＣＰＵ３６およびメモリ３７のデータを通すホストバス３５と、ローカルバス３２とホストバス３５とのデータのやりとりをするバスブリッジ３４とを有して構成される。なお、フラッシュメモリ３３に替えてハードディスク装置（ＨＤＤ）を用いてもよい。
【００２５】
また、メールペット７は、ＣＰＵ３６の制御に基づいて可動部を駆動させるモータアクチュエータ３８、３９、および鳴動するピエゾブザー４０と、各部に電源電圧を供給する電源回路４１とを有して構成される。
【００２６】
このように構成されたメールペットは、以下のような動作をする。
情報端末４においてＣＰＵ２０が解析したデータが、所定のコードであるとき、所定のコードはインターフェース回路１５によりシリアルデータとして上述したワイヤレストランスミッタ５によりメールペット７に送られる。
【００２７】
メールペット７において、受信回路３０は情報端末４からワイヤレストランスミッタ５を介して送られた所定のコードを受信してインターフェース回路３１に供給する。ホストバス３５およびローカルバス３２を用いてＣＰＵ３６はデータのやりとりを行うことにより、フラッシュメモリ３３に格納されるプログラムが起動される。インターフェース回路３１は、赤外線等を介して情報端末４から供給された所定のコードのデータを内部処理可能に変換する。
【００２８】
インターフェース回路３１で変換されたデータはメモリ３７またはフラッシュメモリ３３にダウンロードされる。ダウンロードされたデータをＣＰＵ３６が解析して、各可動部の動作コマンドをインターフェース回路３１に供給する。インターフェース回路３１は動作コマンドを駆動信号に変換する。駆動信号は、モータアクチュエータ３８、３９およびピエゾブザー４０に供給される。モータアクチュエータ３８、３９は駆動信号により駆動され、ピエゾブザー４０は駆動信号により鳴動される。
【００２９】
図４は、本実施の形態のメールペットシステムの動作を示すフローチャートである。
図４において、ステップＳ１でメールが着信される。具体的には、情報端末４において、モデム１４がメールを受信したことをＣＰＵ２０が認識する。ステップＳ２で添付ファイルはあるか否かを判断する。具体的には、ＣＰＵ２０がメールに送信者が添付した添付ファイルがあるか否かを解析する。
【００３０】
ステップＳ２で添付ファイルがあるときはステップＳ３へ進み、ステップＳ３で添付ファイルはメールペット設定ファイルか否かを判断する。具体的には、ＣＰＵ２０がメールに送信者が添付した添付ファイルがメールペット７を動作させるための設定ファイルであるか否か、つまり添付ファイルの有無を解析する。
【００３１】
ステップＳ３で添付ファイルはメールペット設定ファイルであるときは、ステップＳ４へ進み、ステップＳ４で添付ファイルの読み込みを行う。具体的には、ＣＰＵ２０がメールに送信者が添付した添付ファイルをメモリ２１またはフラッシュメモリ１７にダウンロードする。
【００３２】
このとき、例えば、メールペット７を動かすための設定ファイルには、一意に定義されたファイル名称、例えば［ＰＥＴＸＸＸＸＸ］あるいは拡張子、例えば［ＰＥＴＸＸＸＸＸ．ｍｐｅ］をつけるようにする。添付ファイルが動作設定ファイルであるならば、ファイルを読み込み、内容を解析する。添付ファイルはテキストファイルとすることにより、受信側の情報端末のソフトウエアがどのようなものでも対応することができ、一般性を持たせることができる。また、拡張子は、送信者が意図する動作の内容、あるいは特定送信相手のアドレスやイニシャルを表すようにすることにより、送信者が意図するメールペットの動作をさせることができると共に、特定送信相手のアドレスに対応した独特のメールペットの動作をさせることができる。そして、ステップＳ６へ進む。
【００３３】
また、ステップＳ２で添付ファイルがないときはステップＳ５へ進み、ステップＳ５でデフォルトのメールペット動作設定ファイルを読み込む。具体的には、ＣＰＵ２０がユーザーである受信者が予め設定したメールペット動作設定ファイルをメモリ２１またはフラッシュメモリ１７から読み出す。デフォルトのメールペット動作設定ファイルは例えば上述した図５に示したファイルが設定されるが、また、このとき同時にユーザーである受信者の名前や予めアドレス登録されている送信者の名前を呼ぶようにしても良い。デフォルトのメールペット動作設定ファイルは例えば図示しないディップスイッチの切替により予め設定されたファイルの中から選択するようにしても良い。そして、ステップＳ６へ進む。
【００３４】
ステップＳ６で、ファイル内容通りにメールペットを動作させるためのコードを送出する。具体的には、ＣＰＵ２０はファイル内容に対応してメールペットを動作させるための所定のコードをインターフェース回路１５からシリアルインターフェース介してワイヤレストランスミッタ５から赤外線等によりメールペット７へ送る。設定ファイル内容を解析した後に、メールソフトは情報端末４のシリアル端末に接続された専用トランスミッター５からメールペット７を動かすためのコードを送る。
【００３５】
ステップＳ７でメールペットの動作を実行する。具体的には、メールペット７において、受信部３０で受信された所定のコードはインターフェース回路３１で変換されメモリ３７またはフラッシュメモリ３３にダウンロードされる。ダウンロードされたデータをＣＰＵ３６が解析して、各可動部の動作コマンドをインターフェース回路３１を介して駆動信号に変換する。駆動信号は、モータアクチュエータ３８、３９およびピエゾブザー４０に供給され、駆動信号によりモータアクチュエータ３８、３９は駆動され、ピエゾブザー４０は鳴動される。このようにして、トランスミッター５からメールペット７に所定のコードが送られ、所定のコードを受信したメールペット７はそれに従った動作をする。
【００３６】
ステップＳ８で動作が終了する。具体的には、情報端末４およびメールペット７におけるＣＰＵ２０，３６はメール着信の制御動作を終了する。なお、上述したステップＳ１〜Ｓ８までの処理および判断はメールの着信がある度に繰り返し実行される。
【００３７】
上述した本実施の形態の情報着信通知玩具装置は、情報としてのメールの受信を行う受信手段としての受信部３０と、受信手段により受信された情報の解析を行う解析手段としてのＣＰＵ３６と、可動部を駆動させる駆動手段としてのモータアクチュエータ３８，３９，ピエゾブザー４０と、解析手段により解析された情報に基づいて駆動手段の動作を制御する制御手段としてのＣＰＵ３６とを備え、情報が着信したとき、情報の解析内容に応じて、駆動手段により可動部が駆動されるので、情報端末のモニタの外に配置された立体の玩具であるメールペット７の動きや鳴き声などにより情報の着信を知ることができる。
【００３８】
また、上述した本実施の形態の情報着信通知玩具装置において、情報が着信したときの駆動手段による可動部の動作を、受信者が任意に設定する設定手段を設けたので、ユーザーである受信者が任意にメールペット７の動きをカスタマイズすることができる。
【００３９】
また、上述した本実施の形態の情報着信通知玩具装置において、情報の解析内容および情報の送信者のアドレスに応じて、情報が着信したときの駆動手段による可動部の動作を行わせる送信者識別手段を設けたので、メール送信者のアドレスとメールペット７の動作を連動させることができ、メールペット７の動きで誰からメールが届いたのかを識別することができる。
【００４０】
また、上述した本実施の形態の情報送信方法は、情報着信通知玩具装置に送信すべき情報に対して、情報が情報着信通知玩具装置に着信したとき、情報の解析内容に応じて、駆動手段により可動部が駆動される命令を添付ファイルとして、情報に付属させて送信するので、情報の着信時に送信者が意図したメールペット７の可動部の動作をさせることができる。
【００４１】
また、上述した本実施の形態の情報着信通知玩具システムは、情報着信通知玩具に送信すべき情報に対して、情報が情報着信通知玩具装置に着信したとき、情報の解析内容に応じて、駆動手段により可動部が駆動される命令を、情報に付属させて送信する送信部と、情報端末４において、情報を受信し、受信された情報の解析を行い、解析された情報に基づいて駆動手段の可動部の動作を制御し、情報が着信したとき、情報の解析内容に応じて、駆動手段により可動部が駆動される情報着信通知玩具としてのメールペット７とを備えたので、情報の送信者の情報端末と受信者の情報端末において同じソフトウエアを使用していなくても、情報の着信時にメールペット７の可動部の動作をさせることができる。
【００４２】
【発明の効果】
本発明の情報着信通知玩具装置、情報送信方法および情報着信通知玩具システムの構成により、情報端末のモニタの外に配置された立体の玩具の動きや鳴き声などにより情報の着信を知ることができるので、モニタを見ることなく愛玩具の可動部の独特な動作で情報の着信を直接、空間的に知ることができるという効果を奏する。
【００４３】
また、本発明の情報着信通知玩具装置において、情報が着信したときの駆動手段による可動部の動作を、受信者が任意に設定する設定手段を設けたので、ユーザーである受信者が任意に愛玩具の動きをカスタマイズすることができるという効果を奏する。
【００４４】
また、本発明の情報着信通知玩具装置において、情報の解析内容および情報の送信者のアドレスに応じて、情報が着信したときの駆動手段による可動部の動作を行わせる送信者識別手段を設けたので、送信者のアドレスと愛玩具の動作を連動させることができ、愛玩具の動きで誰からメールが届いたのかを識別することができるという効果を奏する。
【００４５】
また、本発明の情報送信方法の構成により、情報の送信者が添付ファイルを付属させることにより、情報の着信時に送信者が意図した愛玩具の可動部の動作をさせることができるという効果を奏する。
【００４６】
また、本発明の情報着信通知玩具システムの構成により、情報の送信者の情報端末と受信者の情報端末において同じソフトウエアを使用していなくても、情報の着信時に愛玩具の可動部の動作をさせることができるという効果を奏する。
【図面の簡単な説明】
【図１】本発明の実施の形態のメールペットシステムの構成を示すシステムブロック図である。
【図２】本発明の実施の形態の情報端末の構成を示すブロック図である。
【図３】本発明の実施の形態のメールペットの構成を示すブロック図である。
【図４】本発明の実施の形態のメールペットシステムの動作を示すフローチャートであある。
【図５】本発明の実施の形態のメールペット動作設定ファイルの例を示す図である。
【符号の説明】
１……インターネット、２……プロバイダ、３……アンテナ、４……情報端末、５……ワイヤレストランスミッタ、６……モニタ、７……メールペット、１０……ＮＳＣ／ＰＡＬコーデック、１１……ＶＲＡＭ、１２……グラフィックエンジン、１３……オーディオコーデック、１４……モデム、１５……インターフェース回路、１６……ローカルバス、１７……フラッシュメモリ、１８……バスブリッジ、１９……ホストバス、２０……ＣＰＵ、２１……メモリ、３０……受信部、３１……インターフェース回路、３２……ローカルバス、３３……フラッシュメモリ、３４……バスブリッジ、３５……ホストバス、３６……ＣＰＵ、３７……メモリ
【図１】
0004337167.tif 000002
【図２】
0004337167.tif 000003
【図３】
0004337167.tif 000004
【図４】
0004337167.tif 000005
【図５】
0004337167.tif 000006